(57)【要約】【課題】対象者から情報を容易に取得し、対象者に情報を容易に表示すること。【解決手段】処理部３１は、取得情報を発言するよう対象者に促す表示情報を表示手段３７に表示させるか否かを生体情報採取手段３３に採取させた生体情報と記録手段２に事前に記録されている基準生体情報とに基づいて判断する。表示させると判断した場合に、この表示情報を表示させ、対象者の発言の音声を音声取得手段３５に取得させる。記録手段２は得た取得情報を記録する。処理部３１は、記録手段２に記録されている取得情報を対象者に向けて表示手段３７に表示させるか否かを、生体情報採取手段３３に採取させた生体情報と記録手段２に事前に記録されている基準生体情報とに基づいて判断する。表示させると判断した場合に、この取得情報を表示させる。【選択図】      図１
2008212374.tif 000002
【特許請求の範囲】
【請求項１】
生体情報を取得する生体情報取得手段と、
音声を取得する音声取得手段と、
表示情報を表示する表示手段と、
生体情報が取得されることを許諾するか対象者に問う表示情報を表示手段に表示させ、
この表示情報に対する対象者の返答の音声を音声取得手段に取得させ、
対象者の生体情報を生体情報取得手段に取得させるか否かを取得させた返答の音声に基づいて判断し、
取得させると判断した場合に、生体情報を取得させる処理部と、
を具備していることを特徴とする生体情報取得装置。
【請求項２】
生体情報は顔の画像を含んでいることを特徴とする請求項１に記載の生体情報取得装置。
【請求項３】
前記表示手段は音声で表示情報を表示することを特徴とする請求項１又は２に記載の生体情報取得装置。
【請求項４】
生体情報を採取する生体情報採取手段と、
音声を取得する音声取得手段と、
情報を表示する表示手段と、
情報を記録する記録手段と、
対象者の生体情報を生体情報採取手段に採取させ、
採取させた生体情報に基づいて生体認証を行い、
対象者から取得される取得情報を発言するよう対象者に促す表示情報を表示手段に表示させるか否かを生体認証の結果に基づいて判断し、
表示させると判断した場合に、この表示情報を表示させ、対象者の発言の音声を音声取得手段に取得させ、この音声に基づいて取得情報を得る処理部と、
を具備しており、
記録手段は得た取得情報を記録し、
表示手段は記録された取得情報を表示することを特徴とする情報取得表示装置。
【請求項５】
生体情報は顔の画像を含んでいることを特徴とする請求項４に記載の情報取得表示装置。
【請求項６】
前記表示手段は音声で情報を表示することを特徴とする請求項４又は５に記載の情報取得表示装置。
【請求項７】
取得情報はテキストデータとして前記記録手段に記録されることを特徴とする請求項４乃至６のいずれか１項に記載の情報取得表示装置。
【請求項８】
取得情報は音声データとして前記記録手段に記録されることを特徴とする請求項４乃至６のいずれか１項に記載の情報取得表示装置。
【請求項９】
生体情報を採取する生体情報採取手段と、
音声を取得する音声取得手段と、
情報を表示する表示手段と、
情報を記録する記録手段と、
特定の対象者を特定する特定情報と、所定の情報とを記録手段に記録させ、
対象者の生体情報を生体情報採取手段に採取させ、
採取させた生体情報に基づいて生体認証を行い、
記録手段に記録させた特定情報と生体情報採取手段により生体情報が採取された対象者の特定情報とが一致するか生体情報が採取されたこの対象者に問う表示情報を表示手段に表示させるか否かを、生体認証の結果に基づいて判断し、
表示させると判断した場合に、この表示情報を表示させ、
この表示情報に対する、生体情報が採取された前記対象者の返答の音声を音声取得手段に取得させ、
生体情報が採取された前記対象者に向けて、記録手段に記録させた所定の情報を表示手段に表示させるか否かを、取得させた返答の音声に基づいて判断し、
表示させると判断した場合に、この所定の情報を表示させる処理部と、
を具備していることを特徴とする情報表示装置。
【請求項１０】
対象者の特定情報は、その対象者の氏名を含んでいることを特徴とする請求項９に記載の情報表示装置。
【請求項１１】
生体情報は顔の画像を含んでいることを特徴とする請求項９又は１０に記載の情報表示装置。
【請求項１２】
前記表示手段は音声で情報を表示することを特徴とする請求項９乃至１１のいずれか１項に記載の情報表示装置。
【請求項１３】
生体情報を採取する生体情報採取手段と、音声を取得する音声取得手段と、表示情報を表示する表示手段と、生体情報採取手段と音声取得手段と表示手段とに接続されている処理部とを含んでいる少なくとも１つの情報端末と、
生体情報採取手段により採取される生体情報に基づき作成される基準生体情報と、音声取得手段により取得される音声に基づき得られる情報とを記録する記録手段と、
を具備している情報取得表示システムであって、
この情報取得表示システムに含まれている情報端末から選択される少なくとも１つの情報端末に含まれている処理部は、
生体情報が取得されることを許諾するか対象者に問う表示情報を処理部に接続されている表示手段に表示させ、
この表示情報に対する対象者の返答の音声を処理部に接続されている音声取得手段に取得させ、
対象者の生体情報を生体情報採取手段に採取させるか否かを取得させた対象者の返答の音声に基づいて判断し、
生体情報を採取させると判断した場合に、生体情報を採取させて採取させた生体情報に基づいて基準生体情報を作成し、
記録手段は作成された基準生体情報を記録し、
この情報取得表示システムに含まれている情報端末から選択される少なくとも１つの情報端末に含まれている処理部は、
対象者の生体情報を生体情報採取手段に採取させ、
対象者から取得される取得情報を発言するよう対象者に促す表示情報を表示手段に表示させるか否かをこの採取させた生体情報と記録手段に記録されている基準生体情報とに基づいて判断し、
表示させると判断した場合に、この表示情報を表示させ、対象者の発言の音声を音声取得手段に取得させ、この音声に基づいて取得情報を得て、
記録手段は得た取得情報を記録し、
この情報取得表示システムに含まれている情報端末から選択される少なくとも１つの情報端末に含まれている処理部は、
対象者の生体情報を生体情報採取手段に採取させ、
記録手段に記録されている取得情報を対象者に向けて表示手段に表示させるか否かを、この採取させた生体情報と記録手段に記録されている基準生体情報とに基づいて判断し、表示させると判断した場合に、この取得情報を表示させることを特徴とする情報取得表示システム。
【請求項１４】
管理者により操作される操作部と、操作部になされる操作に基づいて、記録手段に記録されている情報を編集する管理処理部とを有する管理端末をさらに具備していることを特徴とする請求項１３に記載の情報取得表示システム。
【請求項１５】
前記管理端末は、管理者に向けて前記記録手段に記録されている情報を表示する表示部をさらに有していることを特徴とする請求項１４に記載の情報取得表示システム。
【請求項１６】
生体情報は顔の画像を含んでいることを特徴とする請求項１３乃至１５のいずれか１項に記載の情報取得表示システム。
【請求項１７】
前記表示手段は音声で情報を表示することを特徴とする請求項１３乃至１６のいずれか１項に記載の情報取得表示システム。
【請求項１８】
生体情報が取得されることを許諾するか対象者に問う表示情報を表示し、
この表示情報に対する対象者の返答の音声に基づいて音声認識を行い、
対象者の生体情報を取得するか否かを音声認識の結果に基づいて判断し、
取得すると判断した場合に、生体情報を取得することを特徴とする生体情報取得方法。
【請求項１９】
生体情報は顔の画像を含んでいることを特徴とする請求項１８に記載の生体情報取得方法。
【請求項２０】
情報を表示する際には、音声で表示することを特徴とする請求項１８又は１９に記載の生体情報取得方法。
【請求項２１】
対象者を識別する生体認証を行い、
対象者から取得する取得情報を発言するよう対象者に促す表示情報を表示するか否かを生体認証の結果に基づいて判断し、
表示すると判断した場合に、この表示情報を表示し、対象者の発言の音声に基づいて音声認識を行い、音声認識の結果に基づいて取得情報を得て、
得た取得情報を記録し、
記録した取得情報を表示することを特徴とする情報取得表示方法。
【請求項２２】
生体認証を行う前記工程では、顔の画像に基づいて生体認証を行うことを特徴とする請求項２１に記載の情報取得表示方法。
【請求項２３】
情報を表示する際には、音声で表示することを特徴とする請求項２１又は２２に記載の情報取得表示方法。
【請求項２４】
取得情報を記録する前記工程では、テキストデータとして記録することを特徴とする請求項２１乃至２３のいずれか１項に記載の情報取得表示方法。
【請求項２５】
取得情報を記録する前記工程では、音声データとして記録することを特徴とする請求項２１乃至２３のいずれか１項に記載の情報取得表示方法。
【請求項２６】
特定の対象者を特定する特定情報と、所定の情報とを記録し、
対象者を識別する生体認証を行い、
記録した特定情報と生体認証により識別された対象者の特定情報とが一致するか生体認証により識別されたこの対象者に問う表示情報を表示するか否かを、生体認証の結果に基づいて判断し、
表示すると判断した場合に、この表示情報を表示し、
この表示情報に対する、生体認証により識別された前記対象者の返答の音声に基づいて音声認識を行い、
生体認証により識別された前記対象者に向けて、記録した所定の情報を表示するか否かを、音声認識の結果に基づいて判断し、
表示すると判断した場合に、この所定の情報を表示することを特徴とする情報表示方法。
【請求項２７】
対象者の特定情報は、その対象者の氏名を含んでいることを特徴とする請求項２６に記載の情報表示方法。
【請求項２８】
生体認証を行う前記工程では、顔の画像に基づいて生体認証を行うことを特徴とする請求項２６又は２７に記載の情報表示方法。
【請求項２９】
情報を表示する際には、音声で表示することを特徴とする請求項２６乃至２８のいずれか１項に記載の情報表示方法。
【発明の詳細な説明】
【技術分野】
【０００１】
本発明は、生体情報を取得する生体情報取得装置、情報取得表示システム及び生体情報取得方法に関する。また、本発明は、対象者を識別して対象者から情報を取得し表示する情報取得表示装置、情報取得表示システム及び情報取得表示方法に関する。また、本発明は、対象者を識別して対象者に情報を表示する情報表示装置、情報取得表示システム及び情報表示方法に関する。
【背景技術】
【０００２】
生体認証を用いて対象者を識別し、特定の対象者から情報を取得したり、特定の対象者に情報を表示したりする技術が様々な施設で利用されている。特許文献１には、フィットネス施設にて利用され、トレーニングマシーン使用時に測定された運動量等の情報や、測定器にて測定された血圧等の情報や、キーボードを用いて入力される情報などを取得し、取得した情報を表示する技術が開示されている。
【０００３】
特定の対象者から情報を取得するには、生体認証手段により抽出された指紋データと、キーボードから入力されたパスワードに基づいて対象者が予め登録された会員であるか否か判断される。会員であると判断された対象者がトレーニングマシーンを使用すると、測定された運動量等の情報が、トレーニングマシーンに接続されたデータベースに自動的に記録される。同様に、測定器にて測定された血圧等の情報も自動的に記録される。トレーニングマシーン又は測定器を介して自動的に取得できない情報、例えば対象者の年齢はキーボードを用いて入力され、データベースに記録される。
【０００４】
特定の対象者に情報を表示するときにも、情報を取得する場合と同様に、生体認証手段とキーボードが用いられて対象者が識別される。会員であると判断された対象者に情報が表示される。
【０００５】
【特許文献１】特開２００６−１１９７７３号公報
【発明の開示】
【発明が解決しようとする課題】
【０００６】
特許文献１に開示された技術では、対象者がパスワードを提示するときにはキーボードを操作する必要がある。また、トレーニングマシーン又は測定器を介して自動的に取得できない情報を記録するときにもキーボードを操作する必要がある。対象者がキーボードの操作に不慣れな場合や操作ができない場合には、情報の取得及び表示は困難である。
【０００７】
生体認証のために、事前に対象者から基準となる生体情報が採取され、記録される。基準となる生体情報を採取し記録するには、生体情報を採取し記録する採取記録装置が用いられる。典型的な採取記録装置にはキーボードやタッチパネルなどの操作部が設けられており、対象者は操作部を操作する必要がある。
【０００８】
本発明は上記問題に鑑みてなされたものであり、対象者から情報を容易に取得することができる生体情報取得装置、情報取得表示装置、情報取得表示システム、生体情報取得方法及び情報取得表示方法、並びに、対象者に情報を容易に表示することができる情報取得表示装置、情報表示装置、情報取得表示システム、情報取得表示方法及び情報表示方法を提供することを目的とする。
【課題を解決するための手段】
【０００９】
本発明の一態様に係わる生体情報取得装置は、
生体情報を取得する生体情報取得手段と、
音声を取得する音声取得手段と、
表示情報を表示する表示手段と、
生体情報が取得されることを許諾するか対象者に問う表示情報を表示手段に表示させ、
この表示情報に対する対象者の返答の音声を音声取得手段に取得させ、
対象者の生体情報を生体情報取得手段に取得させるか否かを取得させた返答の音声に基づいて判断し、
取得させると判断した場合に、生体情報を取得させる処理部と、
を具備している。
【００１０】
本発明の別の態様に係わる情報取得表示装置は、
生体情報を採取する生体情報採取手段と、
音声を取得する音声取得手段と、
情報を表示する表示手段と、
情報を記録する記録手段と、
対象者の生体情報を生体情報採取手段に採取させ、
採取させた生体情報に基づいて生体認証を行い、
対象者から取得される取得情報を発言するよう対象者に促す表示情報を表示手段に表示させるか否かを生体認証の結果に基づいて判断し、
表示させると判断した場合に、この表示情報を表示させ、対象者の発言の音声を音声取得手段に取得させ、この音声に基づいて取得情報を得る処理部と、
を具備しており、
記録手段は得た取得情報を記録し、
表示手段は記録された取得情報を表示する。
【００１１】
本発明のまた別の態様に係わる情報表示装置は、
生体情報を採取する生体情報採取手段と、
音声を取得する音声取得手段と、
情報を表示する表示手段と、
情報を記録する記録手段と、
特定の対象者を特定する特定情報と、所定の情報とを記録手段に記録させ、
対象者の生体情報を生体情報採取手段に採取させ、
採取させた生体情報に基づいて生体認証を行い、
記録手段に記録させた特定情報と生体情報採取手段により生体情報が採取された対象者の特定情報とが一致するか生体情報が採取されたこの対象者に問う表示情報を表示手段に表示させるか否かを、生体認証の結果に基づいて判断し、
表示させると判断した場合に、この表示情報を表示させ、
この表示情報に対する、生体情報が採取された前記対象者の返答の音声を音声取得手段に取得させ、
生体情報が採取された前記対象者に向けて、記録手段に記録させた所定の情報を表示手段に表示させるか否かを、取得させた返答の音声に基づいて判断し、
表示させると判断した場合に、この所定の情報を表示させる処理部と、
を具備している。
【００１２】
本発明のまた別の態様に係わる情報取得表示システムは、
生体情報を採取する生体情報採取手段と、音声を取得する音声取得手段と、表示情報を表示する表示手段と、生体情報採取手段と音声取得手段と表示手段とに接続されている処理部とを含んでいる少なくとも１つの情報端末と、
生体情報採取手段により採取される生体情報に基づき作成される基準生体情報と、音声取得手段により取得される音声に基づき得られる情報とを記録する記録手段と、
を具備しており、
この情報取得表示システムに含まれている情報端末から選択される少なくとも１つの情報端末に含まれている処理部は、
生体情報が取得されることを許諾するか対象者に問う表示情報を処理部に接続されている表示手段に表示させ、
この表示情報に対する対象者の返答の音声を処理部に接続されている音声取得手段に取得させ、
対象者の生体情報を生体情報採取手段に採取させるか否かを取得させた対象者の返答の音声に基づいて判断し、
生体情報を採取させると判断した場合に、生体情報を採取させて採取させた生体情報に基づいて基準生体情報を作成し、
記録手段は作成された基準生体情報を記録し、
この情報取得表示システムに含まれている情報端末から選択される少なくとも１つの情報端末に含まれている処理部は、
対象者の生体情報を生体情報採取手段に採取させ、
対象者から取得される取得情報を発言するよう対象者に促す表示情報を表示手段に表示させるか否かをこの採取させた生体情報と記録手段に記録されている基準生体情報とに基づいて判断し、
表示させると判断した場合に、この表示情報を表示させ、対象者の発言の音声を音声取得手段に取得させ、この音声に基づいて取得情報を得て、
記録手段は得た取得情報を記録し、
この情報取得表示システムに含まれている情報端末から選択される少なくとも１つの情報端末に含まれている処理部は、
対象者の生体情報を生体情報採取手段に採取させ、
記録手段に記録されている取得情報を対象者に向けて表示手段に表示させるか否かを、この採取させた生体情報と記録手段に記録されている基準生体情報とに基づいて判断し、表示させると判断した場合に、この取得情報を表示させる。
【００１３】
生体情報は顔の画像を含んでいてもよい。前記表示手段は音声で表示情報を表示してもよい。取得情報はテキストデータとして前記記録手段に記録されてもよいし、音声データとして前記記録手段に記録されてもよい。対象者の特定情報は、その対象者の氏名を含んでいてもよい。前記情報取得表示システムは、管理者により操作される操作部と、操作部になされる操作に基づいて、記録手段に記録されている情報を編集する管理処理部とを有する管理端末をさらに具備していてもよい。前記管理端末は、管理者に向けて前記記録手段に記録されている情報を表示する表示部をさらに有していてもよい。
【００１４】
本発明のまた別の態様に係わる生体情報取得方法では、
生体情報が取得されることを許諾するか対象者に問う表示情報を表示し、
この表示情報に対する対象者の返答の音声に基づいて音声認識を行い、
対象者の生体情報を取得するか否かを音声認識の結果に基づいて判断し、
取得すると判断した場合に、生体情報を取得する。
【００１５】
本発明のまた別の態様に係わる情報取得表示方法では、
対象者を識別する生体認証を行い、
対象者から取得する取得情報を発言するよう対象者に促す表示情報を表示するか否かを生体認証の結果に基づいて判断し、
表示すると判断した場合に、この表示情報を表示し、対象者の発言の音声に基づいて音声認識を行い、音声認識の結果に基づいて取得情報を得て、
得た取得情報を記録し、
記録した取得情報を表示する。
【００１６】
本発明のまた別の態様に係わる情報表示方法では、
特定の対象者を特定する特定情報と、所定の情報とを記録し、
対象者を識別する生体認証を行い、
記録した特定情報と生体認証により識別された対象者の特定情報とが一致するか生体認証により識別されたこの対象者に問う表示情報を表示するか否かを、生体認証の結果に基づいて判断し、
表示すると判断した場合に、この表示情報を表示し、
この表示情報に対する、生体認証により識別された前記対象者の返答の音声に基づいて音声認識を行い、
生体認証により識別された前記対象者に向けて、記録した所定の情報を表示するか否かを、音声認識の結果に基づいて判断し、
表示すると判断した場合に、この所定の情報を表示する。
【００１７】
生体情報は顔の画像を含んでいてもよい。生体認証を行う前記工程では、顔の画像に基づいて生体認証を行ってもよい。情報を表示する際には、音声で表示してもよい。取得情報を記録する前記工程では、テキストデータとして記録してもよいし、音声データとして記録してもよい。対象者の特定情報は、その対象者の氏名を含んでいてもよい。
【発明の効果】
【００１８】
本発明によれば、対象者から情報を容易に取得することができ、対象者に情報を容易に表示することができる。
【発明を実施するための最良の形態】
【００１９】
図面を参照して、本発明の実施の形態に係わる生体情報取得装置、情報取得表示装置、情報表示装置、これらの装置を含んでいる情報取得表示システム、生体情報取得方法、情報取得表示方法及び情報表示方法について説明する。これらは、対象者の体温や血圧等の健康に関する情報を対象者から取得し表示するために利用される。情報取得表示システムは老人福祉施設、スポーツ施設、保健所、病院、学校若しくは職場に設けられている健康管理センター等に設置される。本発明に係わる情報取得表示システムが取得し表示する情報、並びに、本発明に係わる生体情報取得方法、情報取得表示方法及び情報表示方法により取得され表示される情報は、健康に関する情報に限定されない。情報取得表示システムが設置される施設も上記施設に限定されない。
【００２０】
図１には、対象者から生体情報を取得する生体情報取得装置と、対象者から情報を取得し表示する情報取得表示装置と、対象者に情報を表示する情報表示装置とを兼ねる情報端末３が示されている。情報端末３は、対象者が利用する施設に設けられたネットワーク９を介して管理端末１に接続されている。管理端末１は、対象者から取得され対象者に表示される情報を管理する管理者により使用される。ネットワーク９はＬＡＮを含んでいる。情報端末３と管理端末１はケーブルを介してネットワーク９に接続されている。管理端末１と情報端末３は無線でネットワーク９に接続されてもよい。管理端末１、情報端末３及びネットワーク９は情報取得表示システムに含まれている。情報端末３は、対象者から生体情報を採取する生体情報採取手段と、対象者から音声を取得する音声取得手段と、対象者に向けて表示情報を表示する表示手段とを備えている。
【００２１】
生体情報取得手段が採取する生体情報は対象者の顔の画像である。生体情報取得手段は、カメラ３３を含んでいる。本発明に係わる生体情報取得手段により採取される生体情報は、顔の画像に限定されない。生体情報取得手段は、顔の画像、虹彩の画像、網膜の画像、手の指紋、手のひら及び手の甲の静脈パターンを示す画像、並びに、声紋からなる群より選択される少なくとも１つの生体情報を採取してもよい。音声取得手段はマイク３５を含んでいる。表示手段は音で表示情報を表示する。表示手段はスピーカ３７を含んでいる。本発明に係わる表示手段は画像で表示情報を表示してもよい。この場合、表示手段は画像を表示するＣＲＴやＬＣＤ等を含む。また、表示手段は音と画像で表示情報を表示してもよい。カメラ３３、マイク３５及びスピーカ３７は、これらにより採取、取得、表示される情報を処理する処理部３１に接続されている。処理部３１は情報端末３に内蔵されており、ケーブルを介してネットワーク９に接続されている。
【００２２】
管理端末１は処理部３１により処理される情報を記録する記録手段２を内蔵している。管理端末１は、管理者により操作される操作部１３と、操作部１３になされる操作に基づいて、記録手段２に記録されている情報を編集する管理処理部１１と、管理者に向けて記録手段２に記録されている情報を表示する表示部１５とを備えている。管理処理部１１は管理端末１に内蔵されている。記録手段２はネットワーク９と管理処理部１１とに接続されており、操作部１３と表示部１５とは管理処理部１１を介して記録手段２に接続されている。操作部１３はキーボードとマウスを含んでいる。表示部１５はディスプレイとスピーカとを含んでいる。
【００２３】
図２は表示部１５に表示される表の一例を示している。対象者から取得した名前や体温等の情報は対象者毎に関連づけられて記録手段２に記録される。各対象者には表の２行目以降のいずれか１行が割り当てられており、表の各行には関連づけられた情報が格納されている。
【００２４】
記録手段２は管理端末１に内蔵されていなくてもよい。ネットワーク９に接続されるサーバをさらに設け、このサーバに記録手段２を内蔵してもよい。この場合、管理処理部１１は適切なインターフェースを介してネットワーク９に接続され、このインターフェースとネットワーク９を介して記録手段２に接続される。
【００２５】
情報取得表示システムは、対象者から情報を取得し表示する際に対象者を識別し特定するために生体認証を行う。本実施の形態では顔認証を行う。情報取得表示システムは、顔認証のための基準顔情報、所謂テンプレートを事前に対象者から取得しておく。図３には基準顔情報を取得するための工程が示されている。これらの工程は生体情報取得方法に含まれ、情報取得表示システムは生体情報取得方法を実施するために使用される。
【００２６】
先ず、処理部３１は、顔の画像が取得されることを許諾するか対象者に問う表示情報をスピーカ３７に表示させる（工程Ｓ１０１）。このとき、スピーカ３７は、「顔の画像を取得してもよろしいですか。よろしい場合には『はい』、よろしくない場合には『いいえ』と返答して下さい」と発話されたような音を生成する。以下、「スピーカは『…』と発話されたような音を生成する」を「スピーカは『…』と発話する」と表現する。工程Ｓ１０１の前に、処理部３１はスピーカ３７に「カメラに顔を向けて下さい」と発話させて、顔の画像を採取する準備をするよう対象者に促してもよい。
【００２７】
情報取得表示システムは対象者から生体情報を取得する生体情報取得手段を有している。顔の画像が取得されるとき、顔の画像はカメラ３３により採取され、採取された顔の画像に基づいて作成された基準顔情報が記録手段２に記録される。カメラ３３、処理部３１及び記録手段２は生体情報取得手段に含まれている。
【００２８】
対象者がこの発話に対して返答すると、処理部３１は返答の音声をマイク３５に取得させる（工程Ｓ１０３）。処理部３１は返答の音声に基づいて音声認識を行う。処理部３１は、対象者の顔の画像を生体情報取得手段に取得させるか否かを取得させた返答の音声に基づいて（即ち、音声認識の結果に基づいて）判断する。この判断のために、処理部３１は、対象者の顔の画像を採取するか否かを返答の音声に基づいて判断する（工程Ｓ１０５）。このとき処理部３１は返答の音声が「はい」であるのか「いいえ」であるのか判断する。返答の音声が「いいえ」であると判断した場合には、処理部３１は基準顔情報の取得を終了させ、これ以上何も行わない。返答の音声が「はい」であると判断した場合には、処理部３１はカメラ３３に顔の画像を採取させ（工程Ｓ１０７）、採取させた顔の画像に基づいて基準顔情報を作成する（工程Ｓ１０９）。処理部３１は作成した基準顔情報を、ネットワーク９を介して記録手段２に送る。記録手段２は送られた基準顔情報を記録する（工程Ｓ１１１）。
【００２９】
他の生体情報、例えば手のひらの静脈パターンを示す画像を採取するには、対象者は手のひらを位置決めする場所を確認してその場所に手のひらを位置決めする必要があったり、手のひらを位置決めするための位置決め部材に手を接触させたりする必要がある。顔の画像の採取は、顔をカメラに向けるだけで行うことができる。顔を位置決めする場所を確認する必要はないので容易に行うことができる。また、身体を何かに接触させる必要がないので衛生的である。
【００３０】
工程Ｓ１１１に続いて、情報取得表示システムは対象者を特定する特定情報を取得する。特定情報は、対象者の氏名、対象者の現住所、対象者の現住所の電話番号を含む。本実施の形態では、情報取得表示システムは特定情報として対象者の氏名を取得する。図４には特定情報を取得するための工程が示されている。
【００３１】
工程Ｓ１１１に続いて、処理部３１はスピーカ３７に「ご氏名をおっしゃって下さい」と発話させて、氏名を発言するよう対象者に促す（工程Ｓ２０１）。促された対象者が発言すると、処理部３１は発言の音声をマイク３５に取得させる（工程Ｓ２０３）。処理部３１は取得した発言の音声に基づいて氏名が得られるか否かを判断する（工程Ｓ２０５）。このとき処理部３１は音声認識を行い、発言の音声を文字情報に変換する。処理部３１はこの文字情報から氏名の文字情報を得ることができるか判断する。得られないと判断した場合には、処理部３１はスピーカ３７に「もう一度ご氏名をおっしゃって下さい」と発話させて、氏名を発言するよう再度対象者に促す（工程Ｓ２１９）。工程Ｓ２１９の後、工程Ｓ２０３が行われる。得られると判断した場合には、処理部３１は取得した発言の音声に基づいて氏名を得る（工程Ｓ２０７）。処理部３１は得た氏名に基づいて表示情報「あなたのご氏名はＸＸＸですね。正しい場合には『はい』、誤っている場合には『いいえ』と返答して下さい。」を作成する（工程Ｓ２０９）。ＸＸＸは得た氏名である。処理部３１は作成した表示情報をスピーカ３７に発話させて、得た氏名と対象者の氏名とが一致するか対象者に問う（工程Ｓ２１１）。対象者がこの発話に対して返答すると、処理部３１は返答の音声をマイク３５に取得させる（工程Ｓ２１３）。処理部３１は得た氏名を記録するか否かを返答の音声に基づいて判断する（工程Ｓ２１５）。返答の音声が「いいえ」であると処理部３１が判断した場合には、工程Ｓ２１９に続き工程Ｓ２０３が行われる。返答の音声が「はい」であると判断した場合には、処理部３１は得た氏名を記録手段２に送り、記録手段２は送られた氏名を記録する。記録するとき、氏名と基準顔情報とが関連づけられる（工程Ｓ２１７）。
【００３２】
情報取得表示システムが対象者から取得し対象者に表示する情報は所定の項目毎に区分けされる。情報を記録できる項目は予め決められている。本実施の形態では、情報を記録できる項目は「体温」、「血圧」及び「体調」である。対象者はこの中から所望の項目を選択することができる。情報取得表示システムは選択された項目毎に順次情報を取得する。工程Ｓ２１７に続いて、情報取得表示システムは対象者が所望する項目を取得する。図５には項目を取得するための工程が示されている。
【００３３】
工程Ｓ２１７に続いて、処理部３１はスピーカ３７に「記録できる項目は、体温、血圧、体調です。この中から記録したい項目をおっしゃって下さい。」と発話させて、記録する項目を発言するよう対象者に促す（工程Ｓ３０１）。促された対象者が発言すると、処理部３１は発言の音声をマイク３５に取得させる（工程Ｓ３０３）。処理部３１は、記録できる項目が発言されたか否かを取得した発言の音声に基づいて判断する（工程Ｓ３０５）。このとき処理部３１は音声認識を行い、体温、血圧、体調の中から少なくとも１つの項目が発言されたか否か判断する。発言されなかったと判断した場合には、処理部３１はスピーカ３７に「もう一度、体温、血圧、体調の中から記録したい項目をおっしゃって下さい。」と発話させて、記録する項目を発言するよう再度対象者に促す（工程Ｓ３１７）。工程Ｓ３１７の後、工程Ｓ３０３が行われる。発言されたと判断した場合には、処理部３１はスピーカ３７に「記録したい項目はＸＸＸですね。正しい場合には『はい』、誤っている場合には『いいえ』と返答して下さい」と発話させて、発言されたと判断した項目と、対象者が記録したい項目とが一致するか対象者に問う（工程Ｓ３０７）。ＸＸＸは発言されたと判断した項目である。対象者がこの発話に対して返答すると、処理部３１は返答の音声をマイク３５に取得させる（工程Ｓ３０９）。処理部３１は発言されたと判断した項目を記録手段２に送るか否かを返答の音声に基づいて判断する（工程Ｓ３１１）。返答の音声が「いいえ」であると処理部３１が判断した場合には、工程Ｓ３１７に続き工程Ｓ３０３が行われる。返答の音声が「はい」であると判断した場合には、処理部３１は判断した項目を記録手段２に送る。記録手段２は、送られた項目と事前に記録されている基準顔情報及び氏名とを関連づける（工程Ｓ３１３）。工程Ｓ３１３の後、処理部３１はスピーカ３７に「登録は正常に行われました」と発話させて、対象者に手続が完了したことを知らせる（工程Ｓ３１５）。
【００３４】
上述したように、従来、生体認証のために生体基準情報等を取得するには、対象者はキーボードやタッチパネルを操作する必要がある場合があった。本実施の形態に係わる情報取得表示システムは、キーボードやタッチパネルを介することなく対象者から生体顔情報等を取得することができる。これにより、対象者がキーボードやタッチパネルの操作に不慣れな場合や操作ができない場合にも容易に生体顔情報等を取得することができる。
【００３５】
情報取得表示システムは、複数の対象者から顔基準情報と氏名と項目とを取得する。図３乃至図５を参照して説明した上記工程は対象者毎に行われる。これらの情報の取得後には、記録手段２には、情報が取得された特定の対象者毎に関連づけられた顔基準情報と氏名と項目とが記録されている。情報取得表示システムは、対象者を識別し、項目毎に順次対象者から情報を取得する。図６乃至図８にはこのための工程が示されている。これらの工程は情報取得表示方法に含まれ、情報取得表示システムは情報取得表示方法を実施するために使用される。
【００３６】
図６に示されるように、先ず、処理部３１はスピーカ３７に「カメラに顔を向けて下さい」と発話させて、顔の画像を採取する準備をするよう対象者に促した後（工程Ｓ４０１）、カメラ３３に顔の画像を採取させる（工程Ｓ４０３）。
【００３７】
処理部３１は採取させた顔の画像に基づいて顔認証を行う（工程Ｓ４０５及びＳ４０７）。処理部３１は、対象者から取得される取得情報を発言するよう対象者に促す表示情報をスピーカ３７に表示させるか否かを採取させた顔の画像と記録手段２に事前に記録されている基準顔情報とに基づいて（即ち、顔認証の結果に基づいて）判断する（工程Ｓ４０５乃至Ｓ４１７）。本実施の形態では、取得情報として対象者から対象者の体温、血圧及び体調が取得される。処理部３１がこの判断を行うとき、処理部３１は、記録手段２に事前に記録されている特定の対象者の氏名とカメラ３３により顔の画像が採取された対象者の氏名とが一致するか顔の画像が採取されたこの対象者に問う表示情報をスピーカ３７に表示させるか否かを、カメラ３３に採取させた顔の画像と記録されている基準顔情報とに基づいて判断する（工程Ｓ４０５及びＳ４０７）。
【００３８】
即ち、処理部３１は採取した顔の画像と記録手段２に記録されている複数の基準顔情報とを比較してそれぞれ類似度を得る（工程Ｓ４０５）。処理部３１は所定の基準値を超える類似度をもつ基準顔情報が存在するか否か判断する（工程Ｓ４０７）。存在しなかったと判断した場合には、処理部３１はスピーカ３７に「もう一度カメラに顔を向けて下さい」と発話させて、顔の画像を採取する準備をするよう再度対象者に促す（工程Ｓ４１９）。存在したと判断した場合には、処理部３１は最も高い類似度をもつ基準顔情報に関連づけられている氏名を記録手段２から取得する（工程Ｓ４０９）。処理部３１は取得した氏名に基づいて表示情報「あなたのご氏名はＸＸＸですね。正しい場合には『はい』、誤っている場合には『いいえ』と返答して下さい。」を作成する（工程Ｓ４１１）。ＸＸＸは、取得した氏名である。処理部３１はスピーカ３７に作成した表示情報を発話させて、記録手段２から取得した氏名と対象者の氏名とが一致するか対象者に問う（工程Ｓ４１３）。対象者がこの発話に対して返答すると、処理部３１は返答の音声をマイク３５に取得させる（工程Ｓ４１５）。処理部３１は体温を発言するよう対象者に促す発話をスピーカ３７にさせるか否かを取得した返答の音声に基づいて判断する（工程Ｓ４１７）。返答の音声が「いいえ」であると処理部３１が判断した場合には、工程Ｓ４１９に続き工程Ｓ４０３が行われる。
【００３９】
上述したように、対象者を識別するために、特許文献１では生体認証手段により抽出された指紋データと、キーボードから入力されたパスワードに基づいて対象者が予め登録された会員であるか否か判断される。パスワードにより、より確実に対象者を識別できる。本実施の形態に係わる情報取得表示システムでは、採取させた顔の画像と、氏名が一致するかの問いに対する返答とに基づいて判断されるので、対象者はキーボードからパスワードを入力する必要がない。従って、対象者がキーボードやタッチパネルの操作に不慣れな場合や操作ができない場合にも容易にかつ確実に対象者を識別することができる。また、対象者はパスワードを記憶しておく必要がない。
【００４０】
以下、工程Ｓ３０５にて処理部３１が、体温、血圧、体調が発言されたと判断したものとする。工程Ｓ４１７にて返答の音声が「はい」であると処理部３１が判断した場合には、図７に示されるように、処理部３１はスピーカ３７に「記録したい体温をおっしゃって下さい」と発話させて、体温を発言するよう対象者に促す（工程Ｓ５０１）。促された対象者が発言すると、処理部３１は発言の音声をマイク３５に取得させる（工程Ｓ５０３）。処理部３１は取得した発言の音声に基づいて体温が得られるか否かを判断する（工程Ｓ５０５）。このとき処理部３１は発言の音声に基づいて音声認識を行い、体温を得ることができるか判断する。得られないと判断した場合には、処理部３１は、スピーカ３７に「もう一度体温をおっしゃって下さい」と発話させて、体温を発言するよう再度対象者に促す（工程Ｓ５１９）。工程Ｓ５１９の後、工程Ｓ５０３が行われる。得られると判断した場合には、処理部３１は取得した発言の音声に基づいて（即ち、音声認識の結果に基づいて）体温を得る（工程Ｓ５０７）。処理部３１は得た体温に基づいて表示情報「あなたの体温はＸＸ℃ですね。正しい場合には『はい』、誤っている場合には『いいえ』と返答して下さい。」を作成する（工程Ｓ５０９）。ＸＸは得た体温である。処理部３１は作成した表示情報をスピーカ３７に発話させて、得た体温と、対象者が記録したい体温とが一致するか対象者に問う（工程Ｓ５１１）。対象者がこの発話に対して返答すると、処理部３１は返答の音声をマイク３５に取得させる（工程Ｓ５１３）。処理部３１は得た体温を記録するか否かを返答の音声に基づいて判断する（工程Ｓ５１５）。返答の音声が「いいえ」であると処理部３１が判断した場合には、工程Ｓ５１９に続き工程Ｓ５０３が行われる。返答の音声が「はい」であると判断した場合には、処理部３１は得た体温を記録手段２に送る。記録手段２は送られた体温を記録する。体温は数値データとして記録する。記録するとき、この体温と、Ｓ４０９で用いられた最も高い類似度をもつ基準顔情報及びこの基準顔情報と関連づけられた氏名とが関連づけられる（工程Ｓ５１７）。
【００４１】
このようにして本実施の形態に係わる情報取得表示システムはキーボードやタッチパネルを介することなく対象者から取得情報である体温を容易に取得することができる。
【００４２】
対象者から体温を取得した後、情報取得表示システムは血圧を取得する。血圧を取得する工程は体温のそれと同様である。情報取得表示システムは、図７に示された工程Ｓ５０１乃至Ｓ５１９に記載された「体温」を「最高血圧」に、工程Ｓ５０９に記載された「あなたの体温はＸＸ℃ですね」を「あなたの最高血圧はＸＸｍｍＨｇですね」に置き換えて得られた工程を実行する。さらに情報取得表示システムは「体温」を「最低血圧」に、工程Ｓ５０９に記載された「あなたの体温はＸＸ℃ですね」を「あなたの最低血圧はＸＸｍｍＨｇですね」に置き換えて得られた工程を実行する。最高血圧と最低血圧はテキストファイルに格納できるテキストデータとして記録手段２に記録する。
【００４３】
対象者から体温を取得した後、情報取得表示システムは体調を取得する。返答の音声が「はい」であると処理部３１が判断した場合には、図８に示されるように、処理部３１はスピーカ３７に「体調はいかがでしょうか」と発話させて、体調を発言するよう対象者に促す（工程Ｓ６０１）。促された対象者が発言すると、処理部３１は発言の音声をマイク３５に取得させる（工程Ｓ６０３）。処理部３１は発言の音声に基づいて音声認識を行う。処理部３１は取得した発言の音声に基づいて（即ち、音声認識の結果に基づいて）体調を得る（工程Ｓ６０７）。このとき処理部３１は発言の音声に基づいて体調のテキストデータを作成する。処理部３１は得た体調に基づいて表示情報「「あなたの体調は以下の通りですね。ＸＸＸＸ。正しい場合には『はい』、誤っている場合には『いいえ』と返答して下さい。」を作成する（工程Ｓ６０９）。ＸＸＸＸは得た体調であり、対象者の発言が再現される。処理部３１は作成した表示情報をスピーカ３７に発話させて、得た体調と、対象者が記録したい体調とが一致するか対象者に問う（工程Ｓ６１１）。対象者がこの発話に対して返答すると、処理部３１は返答の音声をマイク３５に取得させる（工程Ｓ６１３）。処理部３１は得た体調を記録するか否かを返答の音声に基づいて判断する（工程Ｓ６１５）。返答の音声が「いいえ」であると処理部３１が判断した場合には、処理部３１は、スピーカ３７に「もう一度体調をおっしゃって下さい」と発話させて、体調を発言するよう再度対象者に促す（工程Ｓ６１９）。工程Ｓ６１９の後、工程Ｓ６０３が行われる。工程Ｓ６１９に続き工程Ｓ６０３が行われる。返答の音声が「はい」であると判断した場合には、処理部３１は得た体調を記録手段２に送る。記録手段２は送られた体調を記録する。体調はテキストファイルに格納できるテキストデータとして記録する。記録するとき、この体調と、Ｓ４０９で用いられた最も高い類似度をもつ基準顔情報及びこの基準顔情報と関連づけられた氏名とが関連づけられる（工程Ｓ６１７）。
【００４４】
工程Ｓ６０７にて、処理部３１は取得した発言の音声に基づいて体調のテキストデータを作成する代わりに、体調の音声データを作成してもよい。この場合、工程Ｓ６１７にて記録手段２は音声ファイルに格納できる音声データとして体調を記録する。
【００４５】
キーボードやタッチパネルの操作に不慣れな対象者が、数値データとして記録できない体調のような情報をキーボードやタッチパネルを用いて入力することはより困難である。音声データ又はテキストデータとして取得情報を記録することにより、数値データとして記録できない情報をより容易に記録できる。
【００４６】
情報取得表示システムは、図６乃至図８に示された工程を同一の対象者に対して日時を替えて繰り返し行うことができる。繰り返し行えば、例えば対象者の体温の時間変化を得ることができる。
【００４７】
情報取得表示システムは、対象者を識別し、対象者から取得していた情報を対象者に表示する。図９にはこのための工程が示されている。これらの工程は情報表示方法に含まれ、情報取得表示システムは情報表示方法を実施するために使用される。図９の工程は情報取得表示方法にも含まれる。
【００４８】
先ず、処理部３１はスピーカ３７に「カメラに顔を向けて下さい」と発話させて、顔の画像を採取する準備をするよう対象者に促した後（工程Ｓ７０１）、カメラ３３に顔の画像を採取させる（工程Ｓ７０３）。処理部３１は採取させた顔の画像に基づいて顔認証を行う（工程Ｓ７０５及びＳ７０７）。処理部３１は記録手段２に事前に記録されている氏名とカメラ３３により顔の画像が採取された対象者（即ち、顔認証により識別された対象者）の氏名とが一致するか顔の画像が採取されたこの対象者に問う表示情報をスピーカ３７に表示させるか否かを、カメラ３３に採取させた顔の画像と記録されている基準顔情報とに基づいて（即ち、顔認証の結果に基づいて）判断する（工程Ｓ７０５及びＳ７０７）。
【００４９】
処理部３１は、工程Ｓ７０３に続いて、工程Ｓ７０５乃至Ｓ７１５並びに工程Ｓ７１９を行う。これらの工程は図６に示された工程Ｓ４０５乃至Ｓ４１５並びに工程Ｓ４１９と同じである。工程７０９では、工程Ｓ４０９と同様に、高い類似度をもつ基準顔情報が用いられる。処理部３１は、工程Ｓ７１５にて対象者の返答の音声をマイク３５に取得させ、返答の音声に基づいて音声認識を行う。この後、記録手段２に記録された、最も高い類似度をもつ基準顔情報と関連づけられた情報を表示するか否かを取得した返答の音声に基づいて（即ち、音声認識の結果に基づいて）判断する（工程Ｓ７１７）。返答の音声が「いいえ」であると処理部３１が判断した場合には、工程Ｓ７１９に続き工程Ｓ７０３が行われる。
【００５０】
返答の音声が「はい」であると処理部３１が判断した場合には、処理部３１は情報を表示する（工程Ｓ８０１）。例えば、処理部３１は「過去にあなたから伺った情報をお知らせします。知りたい情報をおっしゃって下さい。」とスピーカ３７に発話させて、対象者が知りたい情報を問う。対象者がこの発話に対して、例えば「過去一週間の血圧変化」と返答すると、処理部３１は返答の音声をマイク３５に取得させる。処理部３１は音声認識を行い、過去一週間に記録されたこの対象者の最高血圧と最低血圧を記録手段２から取得し、記録された順にこれらをスピーカ３７に発話させる。発話後、所定の手続が行われて情報の表示が終了する。
【００５１】
このようにして本実施の形態に係わる情報取得表示システムはキーボードやタッチパネルを介して対象者から指示を受けることなく対象者に情報を容易に表示することができる。
【００５２】
管理者は管理端末１の表示部１５を用いて記録手段２に記録されている情報を閲覧することができる。例えば、表示部１５は管理者に向けて図２に示されたような表の画像を表示することができる。この表には、表示指定時刻２００６年４月１日１４：００以前に取得された情報の内の最新の情報が記されている。管理者は操作部１３を操作して表示指定時刻を換えることができる。対象者「エバラシロウ」に割り当てられた行の項目「最高血圧」と項目「最低血圧」の欄には「記録しない」と記されている。これは、図５の工程Ｓ３０１にて、対象者「エバラシロウ」に記録する項目を発言するよう促し、工程Ｓ３０５にて、血圧が発言されなかったと判断されたことを意味する。この場合、工程Ｓ３１３にて、項目「血圧」と、記録手段２に事前に記録されている基準顔情報及び氏名とが関連づけられない。関連づけられない項目に対応する欄には「記録しない」と記される。
【００５３】
管理者は管理端末１の操作部１３を操作して記録手段２に記録されている情報を編集することができる。情報取得表示システムは、マイク３５に取得させた対象者の音声を表示部１５に表示させることができる。管理者は、対象者の音声を聴いて、表の氏名の欄、体温の欄、血圧の欄及び体調の欄に数字を含む文字を記すことができる。
【００５４】
以下、図１０を参照して別の実施の形態に係わる情報取得表示システムを説明する。情報取得表示システムは少なくとも１つの情報端末を備えている。それぞれの情報端末はカメラ、マイク及びスピーカと、これらに接続された処理部とを含んでいる。ある情報端末の処理部は、図３乃至図５を参照して説明した基準顔情報、氏名及び項目を取得する工程群（以下、登録工程群という）と、図６乃至図８を参照して説明した取得情報を取得する工程群（以下、取得工程群という）と、図９を参照して説明した情報を表示する工程群（以下、表示工程群という）との内、少なくとも１つの工程群に含まれた工程を行うことができる。
【００５５】
言い換えると、少なくとも１つの情報端末から選択される少なくとも１つの情報端末（第１群に含まれる情報端末）に含まれている処理部は、登録工程群に含まれた工程を行うことができる。この選択された情報端末（第１群に含まれる情報端末）を含む少なくとも１つの情報端末から選択される少なくとも１つの情報端末（第２群に含まれる情報端末）に含まれている処理部は、取得工程群に含まれた工程を行うことができる。第１群に含まれる情報端末と第２群に含まれる情報端末とを含む少なくとも１つの情報端末から選択される少なくとも１つの情報端末（第３群に含まれる情報端末）に含まれている処理部は、表示工程群に含まれた工程を行うことができる。第１群、第２群及び第３群の少なくとも２群が同じ情報端末を含むこともあり得るし、同じ情報端末を含まないこともあり得る。前述した実施の形態の構成部材に付された参照符号と同じ参照符号を付された構成部材は前述した実施の形態の構成部材と同様の構成を有する。
【００５６】
情報取得表示システムは、３つの情報端末３，５，７と管理端末１とを備えている。情報端末３，５，７と管理端末１とは老人福祉施設内に分散して配置されており、施設内に配設されたネットワーク９を介して接続されている。情報端末５は、カメラ５３、マイク５５及びスピーカ５７と、これらに接続された処理部５１とを含んでいる。情報端末７は、カメラ７３、マイク７５及びスピーカ７７と、これらに接続された処理部７１とを含んでいる。処理部３１、処理部５１、処理部７１及び記録手段２はネットワーク９に無線で接続されている。
【００５７】
前述した実施の形態にて説明したように、情報端末３の処理部３１は登録工程群、取得工程群及び表示工程群に含まれた工程を行うことができる。情報端末３は老人福祉施設のロビーに設置されており、情報取得表示システムは情報端末３を介してロビーにいる対象者の基準顔情報、氏名及び項目を取得することができる。取得した情報は記録手段２が記録する。情報取得表示システムは情報端末３を介して体温や血圧等の取得情報を取得し記録手段２に記録し、記録した取得情報を、情報端末３を介して表示することができる。情報端末５は施設の医療室に設置されており、情報端末５の処理部５１は登録工程群及び取得工程群に含まれた工程を行うことができる。情報取得表示システムは医療室で体温や血圧等を測定された対象者から情報端末５を介して体温や血圧等を取得することができる。情報端末７は対象者の居室に設置されており、情報端末７の処理部７１は登録工程群及び表示工程群に含まれた工程を行うことができる。情報取得表示システムは以前に取得された体温や血圧等を居室にて確認しようとする対象者に、情報端末７を介して体温や血圧等を表示することができる。管理者は、前述した実施の形態にて説明したように、管理端末１を用いて記録手段２に記録されている情報を閲覧し編集することができる。
【００５８】
情報を音声で表示する際に、口調を選択できる。情報端末３ではより丁寧な口調で表示し、残りの情報端末５，７では子供が話すような口調で表示してもよい。これにより、対象者が飽きるのを防ぐことができる。
【００５９】
本発明に係わる生体情報取得装置、情報取得表示装置、情報表示装置及び情報取得表示システムの構成、並びに、生体情報取得方法、情報取得表示方法及び情報表示方法の工程は上記実施の形態に示したものに限定されることなく、その趣旨を逸脱しない範囲で種々の改良と変更が可能である。
【図面の簡単な説明】
【００６０】
【図１】一実施の形態に係わる情報取得表示システムのブロック図である。
【図２】一実施の形態に係わる情報取得表示システムに含まれる管理端末の表示部に表示される表の一例を示す図である。
【図３】基準顔情報を取得するための工程を示すフローチャートである。
【図４】氏名を取得するための工程を示すフローチャートである。
【図５】項目を取得するための工程を示すフローチャートである。
【図６】対象者を識別し、体温を発言するよう対象者を促す発話を行うか否かを判断するための工程を示すフローチャートである。
【図７】体温を取得するための工程を示すフローチャートである。
【図８】体調を取得するための工程を示すフローチャートである。
【図９】対象者を識別し、情報を表示するための工程を示すフローチャートである。
【図１０】別の実施の形態に係わる情報取得表示システムのブロック図である。
【符号の説明】
【００６１】
１    管理端末
２    記録手段（生体情報取得手段）
３，５，７    情報端末（生体情報取得装置、情報取得表示装置、情報表示装置）
９    ネットワーク
１１    管理処理部
１３    操作部
１５    表示部
３１，５１，７１    処理部（生体情報取得手段）
３３，５３，７３    カメラ（生体情報採取手段、生体情報取得手段）
３５，５５，７５    マイク（音声取得手段）
３７，５７，７７    スピーカ（表示手段）
【図１】
2008212374.tif 000003
【図２】
2008212374.tif 000004
【図３】
2008212374.tif 000005
【図４】
2008212374.tif 000006
【図５】
2008212374.tif 000007
【図６】
2008212374.tif 000008
【図７】
2008212374.tif 000009
【図８】
2008212374.tif 000010
【図９】
2008212374.tif 000011
【図１０】
2008212374.tif 000012